(57)【要約】【課題】受信装置と表示装置の時刻調整を行なって、検査の時刻情報と画像データに付加された時刻情報との整合性をとって、適切な画像データの選出および表示を行うこと。【解決手段】表示装置４において、制御部ＤＣの時刻設定部ＤＣ２が、初期設定時にタイマＤＣ１の計時する時刻情報を受信装置２へ送出し、受信装置２では、制御部Ｃの時刻設定部Ｃ３がこの送出された時刻情報を取り込み、この時刻情報に基づいて、タイマＣ２の時刻設定を行うことで、受信装置２と表示装置４との時刻合わせを行う。【選択図】        図３
2005304512.tif 000002
【特許請求の範囲】
【請求項１】
移動する送信装置から送信される無線映像信号を受信する受信装置と、前記受信装置が受信した無線映像信号に基づいた画像を表示する表示装置とからなる医療装置において、
前記表示装置は、
時刻を計時する第１の計時手段と、
前記計時された時刻情報を送出する送出手段と、
を備え、前記受信装置は、
時刻を計時する第２の計時手段と、
前記送出手段からの時刻情報に基づいて、前記第２の計時手段の時刻設定を行う第２の時刻設定手段と、
を備えることを特徴とする医療装置。
【請求項２】
前記表示装置は、外部からの時刻情報に基づいて、前記第１の計時手段の時刻設定を行う第１の時刻設定手段を、
さらに備えることを特徴とする請求項１に記載の医療装置。
【請求項３】
前記送信装置は、検査対象の被検体内から取得された被検体内情報を、無線送信し、
前記受信装置は、前記第２の計時手段によって前記被検体内情報の取得時間を設定し、
前記表示装置は、前記被検体内情報に基づくサムネイル画像の表示が可能な表示手段と、
前記第１の計時手段によって前記検査の開始時刻と終了時刻を設定するとともに、前記開始時刻と前記終了時刻と前記受信装置で設定された前記取得時間に基づいて、前記サムネイル画像の表示の有無を判断する判断手段と、
前記判断手段の判断結果に基づいて、前記サムネイル画像を作成する作成手段と、
をさらに備えることを特徴とする請求項１または２に記載の医療装置。
【請求項４】
前記受信装置は、前記画像に受信時刻を付加する時刻付加手段を、
さらに備えることを特徴とする請求項１〜３のいずれか一つに記載の医療装置。
【発明の詳細な説明】
【技術分野】
【０００１】
本発明は、被検体内情報を受信する受信装置と、この被検体内情報による画像を表示する表示装置とからなる医療装置に関し、特に受信装置と表示装置の時刻合わせを行う医療装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次無線通信などの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる。
【０００４】
一般に、受信装置は、カプセル型内視鏡から送信される映像信号を受信するための複数のアンテナを被検体外部に分散配置し、映像信号の受信誤りが少ない１つのアンテナを選択切り替えして受信するようにしている。なお、特許文献１には、受信装置で受信された画像データに、時刻などの付加情報を付加してワークステーションなどの表示装置に記録する生体内画像装置が記載されている。一般に、受信装置と表示装置は、時刻を計時するタイマなどの計時機能を有し、検査の開始時刻と終了時刻は、表示装置が定め、画像データの取得時刻は、受信装置が定めて、この画像データに付加している。
【０００５】
【特許文献１】米国特許出願公開第０２／０１７１６６９号明細書
【発明の開示】
【発明が解決しようとする課題】
【０００６】
しかしながら、この生体内画像装置では、受信装置と表示装置とで時刻合わせのための調整を行なっていないので、たとえばこの画像データの取得時刻をファイル名に設定した場合に、受信装置のタイマの時刻と、表示装置のタイマの時刻とが異なっていると、表示装置側では、検査の時刻情報と画像データに付加された取得時刻情報との整合性がとれなくなって、適切な画像データの選出や表示を行うことができなくなることがあった。
【０００７】
本発明は、上記問題に鑑みてなされたものであって、受信装置と表示装置の時刻調整を行なって、検査の時刻情報と画像データに付加された時刻情報との整合性をとって、適切な画像データの選出および表示を行うことができる医療装置を提供することを目的とする。
【課題を解決するための手段】
【０００８】
上述した課題を解決し、目的を達成するために、本発明にかかる医療装置は、移動する送信装置から送信される無線映像信号を受信する受信装置と、前記受信装置が受信した無線映像信号に基づいた画像を表示する表示装置とからなる医療装置において、前記表示装置は、時刻を計時する第１の計時手段と、前記計時された時刻情報を送出する送出手段と、を備え、前記受信装置は、時刻を計時する第２の計時手段と、前記送出手段からの時刻情報に基づいて、前記第２の計時手段の時刻設定を行う第２の時刻設定手段と、を備えることを特徴とする。
【０００９】
また、請求項２の発明にかかる医療装置は、上記発明において、前記表示装置は、外部からの時刻情報に基づいて、前記第１の計時手段の時刻設定を行う第１の時刻設定手段を、さらに備えることを特徴とする。
【００１０】
また、請求項３の発明にかかる医療装置は、上記発明において、前記送信装置は、検査対象の被検体内から取得された被検体内情報を、無線送信し、前記受信装置は、前記第２の計時手段によって前記被検体内情報の取得時間を設定し、前記表示装置は、前記被検体内情報に基づくサムネイル画像の表示が可能な表示手段と、前記第１の計時手段によって前記検査の開始時刻と終了時刻を設定するとともに、前記開始時刻と前記終了時刻と前記受信装置で設定された前記取得時間に基づいて、前記サムネイル画像の表示の有無を判断する判断手段と、前記判断手段の判断結果に基づいて、前記サムネイル画像を作成する作成手段と、をさらに備えることを特徴とする。
【００１１】
また、請求項４の発明にかかる医療装置は、上記発明において、前記受信装置は、前記画像に受信時刻を付加する時刻付加手段を、さらに備えることを特徴とする請求項１〜３のいずれか一つに記載の医療装置。
【発明の効果】
【００１２】
本発明にかかる医療装置は、表示装置の第１の計時手段が計時する時刻に基づいて、受信装置の第２の計時手段の時刻設定を行なうことで、受信装置と表示装置の時刻調整を行なって、検査の時刻情報と画像データに付加された時刻情報との整合性をとって、適切な画像データの選出および表示を行うことができるという効果を奏する。
【発明を実施するための最良の形態】
【００１３】
以下に、本発明にかかる医療装置の実施の形態を図１〜図７の図面に基づいて詳細に説明する。なお、本発明は、これらの実施の形態に限定されるものではなく、本発明の要旨を逸脱しない範囲で種々の変更実施の形態が可能である。
【００１４】
（実施の形態１）
図１は、本発明にかかる医療装置を備えた無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間でデータの受け渡しを行うための通信ケーブル５とを備える。受信装置２は、被検体１によって着用される受信ジャケット２ａと、受信される無線信号の処理などを行う外部装置２ｂとを備える。なお、受信装置２、表示装置４および通信ケーブル５は、医療装置を構成している。
【００１５】
表示装置４は、カプセル型内視鏡３によって撮像された体腔内画像などを表示するためのものであり、通信ケーブル５を介して受信装置２から得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１６】
通信ケーブル５は、通常、外部装置２ｂおよび表示装置４に対して着脱可能であって、両者に対して挿着された時に外部装置２ｂはデータ情報の出力または記録が可能な構造を有する。この実施の形態では、通信ケーブル５は、受信装置２を初期化、たとえば以前の検査で記憶部１３に記憶された画像データなどの古いデータの削除や、患者識別情報および検査日などの検査ＩＤの登録を行うときに、外部装置２ｂと表示装置４間に接続され、表示装置４からのデータを外部装置２ｂに送信する。次に、初期化が終了すると、外部装置２ｂと表示装置４間から取り外され、両者の接続を断状態にする。カプセル型内視鏡３が被検体１の体腔内を移動している間は、両者の接続は断状態を維持する。また、外部装置２ｂは、カプセル型内視鏡が無線送信したデータを受信し、記録する。そして、カプセル型内視鏡３が被検体１から排出された後、つまり、被検体１の内部の撮像が終了した後には、通信ケーブル５は、外部装置２ｂと表示装置４間に接続され、外部装置２ｂで記録されたカプセル型内視鏡３から送信されたデータが、この表示装置４によって、読み出される構成を有する。なお、本発明にかかる外部装置２ｂと表示装置４との通信は、上記通信ケーブル５に限らず、無線接続によって行うことも可能であり、またはデータの同期が可能なクレードルを用いて外部装置２ｂと表示装置４を接続させて通信することも可能である。この場合には表示装置とクレードルを通信ケーブルで接続し、このクレードル上に外部装置２ｂを載置させて、外部装置２ｂと表示装置４間でのデータ転送を行うように構成する。
【００１７】
次に、図２のブロック図を用いて受信装置の構成について説明する。受信装置２は、カプセル型内視鏡３から無線送信された体腔内の画像データを受信する機能を有する。図２に示すように、受信装置２は、被検体１によって着用可能な形状を有し、受信用アンテナＡ１〜Ａｎを備えた受信ジャケット２ａと、受信ジャケット２ａを介して受信された無線信号の処理などを行う外部装置２ｂとを備える。なお、各受信用アンテナＡ１〜Ａｎは、直接被検体（人体）１の外表面に貼付して、受信ジャケット２ａに備え付けられなくてもよく、また受信ジャケット２ａに着脱可能なものでもよい。
【００１８】
外部装置２ｂは、カプセル型内視鏡３から送信された無線信号の処理を行う機能を有する。すなわち、外部装置２ｂは、図３に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００１９】
制御部Ｃは、制御手段としての選択制御部Ｃ１を有し、信号処理回路１２、Ａ／Ｄ変換部１６、画像データを記憶するハードディスクなどからなる記憶部１３、表示部１４、インターフェース部１８および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、インターフェース部１８は、図示しない接続部を介して通信ケーブル５と接続されている。制御部Ｃは、図示しない内部メモリを有し、このインターフェース部１８を介して通信ケーブル５から入力する検査ＩＤなどの被検者を識別する識別情報をこの内部メモリに登録する。電力供給部１７は、たとえば市販の乾電池からなり、上述した各内部機器への電力供給を行う。
【００２０】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２１】
この接続部ＣＯＮは、各コネクタＣＯＮ１〜ＣＯＮｎの接続状態を検知する検知機能を有している。たとえば、コネクタＣＯＮ１に対して、接続部ＣＯＮは、アンテナ未接続検知部を有しており、コネクタＣＯＮ１が接続部ＣＯＮに接続された時に、検知信号としての電圧信号が選択制御部Ｃ１に出力される構成を備えており、他のコネクタＣＯＮ２〜ＣＯＮｎに対しても同様なアンテナ未接続検知部を有する。したがって、選択制御部Ｃ１は、この電圧信号の有無を検知することによって、コネクタＣＯＮ１、すなわち受信用アンテナＡ１が接続されているか否かを判断することができる。同様な検知部を各コネクタＣＯＮ２〜ＣＯＮｎに対応させて持たせることによって、選択制御部Ｃ１は、各受信用アンテナＡ１〜Ａｎの接続状態の有無を判別することができる。
【００２２】
さて、図２において、受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。ここで、選択制御部Ｃ１が切替対象の受信用アンテナとして設定するのは、信号Ｓ６をもとに現に接続された受信用アンテナＡ１〜Ａｎのみを対象とする。また、制御部Ｃは、強度受信期間の受信電界強度および映像受信期間の受信電界強度を、そのとき選択された受信用アンテナと対応付けて映像データとともに記憶部１３に記憶する。この記憶された各受信用アンテナの受信電界強度は、映像データが受信されたときの体腔内のカプセル型内視鏡３の位置を算出するための情報となる。
【００２３】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００２４】
図３は、図１に示した外部装置と表示装置の要部を示すブロック図である。外部装置２ｂの制御部Ｃは、上述した選択制御部Ｃ１の他に、時刻を計時する第２の計時手段としてのタイマＣ２と、このタイマの時刻設定を行う第２の時刻設定手段としての時刻設定部Ｃ３と、画像処理された画像データに受信時刻を付加する時刻付加部Ｃ４とを備え、インターフェース部１８および通信ケーブル５を介して表示装置４のインターフェース部４２と接続されている。表示装置４の制御部ＤＣは、第１の計時手段としてのタイマＤＣ１と、第１の時刻設定手段としての時刻設定部ＤＣ２とを備える。この構成において、時刻設定部ＤＣ２は、インターフェース部４２を介してたとえば時刻設定部Ｃ３と同期をとって、タイマＤＣ１の時刻情報をこの時刻設定部Ｃ３に送出しており、時刻設定部Ｃ３は、入力する時刻情報に基づいて、タイマＣ２の時刻設定を行って、表示装置のタイマＤＣ１と外部装置のタイマＣ２との時刻調整を可能にしている。
【００２５】
次に、図４のフローチャートに基づいて、図３に示した表示装置の時刻設定動作を説明する。図４において、まず図示しない情報入力手段（たとえばキーボードなど）から検査情報の入力があると（ステップ１０２）、制御部ＤＣは、通信ケーブル５を介して外部装置２ｂの制御部Ｃと初期設定のための通信を開始する（ステップ１０２）。
【００２６】
次に、時刻設定部ＤＣ２は、時刻設定部Ｃ３と同期をとって、タイマＤＣ１の時刻情報を時刻設定部Ｃ３に送出して、タイマＣ２の時刻設定を行わせ（ステップ１０３）、さらに制御部ＤＣは、上記入力した検査情報を制御部Ｃに送出して、検査情報の設定を行わせ（ステップ１０４）、初期設定の通信を終了する（ステップ１０５）。ここでいう検査情報の設定とは、たとえば、外部装置２ｂの記憶部１３を初期化し、検査情報（患者名、患者ＩＤ、検査日、検査時間など）を記憶部１３に記憶することを示す。
【００２７】
この初期設定が終了すると、カプセル型内視鏡３の検査が開始可能となる。そして、検査によってカプセル型内視鏡３から受信装置が受信した映像信号は、信号処理回路１２で画像処理されて画像データとして制御部Ｃに出力される。制御部Ｃでは、この画像データを取り込むと、時刻付加部Ｃ４がタイマＣ２から画像取得時刻を検出して、この画像取得時刻情報を画像データに付加、たとえば画像データのファイル名として付加し、たとえば記憶部１３に記録させ、検査が終了した後に、制御部Ｃは、この画像取得時刻が付加された画像データを、インターフェース部１８を介して表示装置の制御部ＤＣに送出することで、画像データの受け渡しおよび表示部４１での画像表示を可能にする。なお、記憶部１３は、たとえばコンパクトフラッシュ（登録商標）メモリなどからなる携帯型記録媒体で構成することも可能であり、この場合には、検査が終了した後に、受信装置２から取り外して、表示装置４に装着させることで、画像データの受け渡しおよび表示部４１での画像表示を可能にする。
【００２８】
このように、この医療装置では、表示装置のタイマが計時する時刻に基づいて、受信装置のタイマの時刻設定を行って、両タイマの時刻合わせを行うので、受信装置と表示装置の時刻調整が可能となって、検査の時刻情報と画像データに付加された画像取得時刻情報との整合性をとって、適切な画像データの選出および表示を行うことができる。さらに、この実施の形態では、検査の時刻情報と画像データに付加された画像取得時刻情報との整合性をとることができるので、検査の時刻情報と画像取得時刻情報との不整合に伴うデータの取り違い防止や最新データの消失防止を図ることも可能である。
【００２９】
（実施の形態２）
図５は、本発明にかかる医療装置の実施の形態２の概略構成を示す構成図である。図５において、受信装置２および表示装置４の構成は、実施の形態１と同様であり、実施の形態１と異なる点は、表示装置４に時刻が正確な電波時計６が接続されている点である。この表示装置４の時刻設定部ＤＣ２は、たとえば定期的にこの電波時計から時刻の取得を行い、この時刻に基づいてタイマＤＣ１の時刻設定を行うように構成されている。次に、電波時計６の動作を、図６のブロック図を用いて説明する。制御部６２は、アンテナ６１で受信した標準電波をタイムコードに変換する。続いて制御部６２は、このタイムコードをデコードして日付および時刻の情報を得る。得た時刻の情報を制御部６２に内蔵する図示しないタイマに設定するとともに、表示部６３に日時および時刻の情報を表示する。制御部６２は、インターフェース部６４および表示装置４のインターフェース部４２を介して、表示装置４と接続される。表示装置４は、電波時計６と通信を行うことで正確な時間を取得できるようになっている。なお、ここでの通信方式としては、たとえばＲＳ−２３２Ｃなどのシリアル通信であるが、本発明はこれに限定されるものではない。
【００３０】
次に、図７のフローチャートに基づいて、図５に示した表示装置の時刻設定動作を説明する。図７において、制御部ＤＣは、図示しない通信ケーブルを介して電波時計６との通信を開始する（ステップ２０１）。そして、時刻調整処理を終了するかどうか判断し（ステップ２０２）、表示装置４でユーザなどにより終了手順が行われていなければ、時刻取得時間になったかどうか判断する（ステップ２０３）。
【００３１】
ここで、定期的に行われる時刻取得時間になった場合には、電波時計６から現在の時刻を取得して、時刻設定部ＤＣ２がこの取得時間に基づいて、タイマＤＣ１の時刻設定を行う（ステップ２０４）。そして、ステップ２０２に戻り、表示装置４でユーザなどにより時刻調整処理の終了手順が行われていれば、ステップ２０６に進んで電波時計６との通信を終了する。
【００３２】
以上の処理により、表示装置４のタイマＤＣ１に設定後、実施の形態１と同様に、外部装置２ｂとの通信を行うことにより、正確な時刻設定が可能となる。また、外部装置２ｂとの初期化処理中にのみ電波時計６との通信を行い、外部装置２ｂのタイマＣ２の時刻設定を行なっても良い。
【００３３】
このように、この実施の形態では、表示装置に時刻が正確な電波時計を接続させ、定期的に電波時計の時刻を表示装置が参照して、両タイマの時刻合わせを行うので、受信装置と表示装置の正確な時刻調整が可能となって、検査の時刻情報と画像データに付加された時刻情報との整合性をとって、適切な画像データの選出および表示を行うことができる。
【００３４】
なお、この実施の形態では、電波時計を用いて正確な時刻設定を行ったが、本発明はこれに限らず、たとえばＳＮＴＰ（Ｓｉｍｐｌｅ  Ｎｅｔｗｏｒｋ  Ｔｉｍｅ  Ｐｒｏｔｏｃｏｌ）を用いたサーバーを表示装置に接続させて、時刻の同期をとるように構成することも可能であり、この場合も実施の形態２と同様の効果を奏することができる。また、この医療装置で取得した画像データを、複数のワークステーションからなる端末装置で利用できるようにＬＡＮなどのネットワークを構築する場合も、各端末装置がＳＮＴＰを用いたサーバーによって時刻の同期をとるように構成すれば、ネットワーク全体で上記効果を奏することができる。
【００３５】
（実施の形態３）
この実施の形態において、実施の形態１と異なる点は、図３に示すように、表示装置４の制御部ＤＣが、タイマＤＣ１に接続される判断手段としての判断部ＤＣ３と、取得した画像データのサムネイル画像（縮小画像）を作成する作成処理部ＤＣ４とを備える点と、作成処理部ＤＣ４によって作成されたサムネイル画像を表示手段としての表示部４１に表示させる機能が付加される点である。時刻設定部ＤＣ２は、このサムネイル画像の表示を可能にするために、初期設定の際に上述した時刻合わせを行うとともに、検査開始時刻と検査終了時刻の設定を行い、判断部ＤＣ３は、この設定された時刻の範囲内に、受信装置２から取り込まれた各画素データに付加された画像取得時間（実施の形態１参照）が入るかどうか判断し、作成処理部ＤＣ４は、この判断結果に基づいてサムネイル画像の作成処理を行う。
【００３６】
次に、図８のフローチャートに基づいて、図３に示した表示装置のサムネイル画像の作成・表示動作を説明する。なお、この実施の形態では、検査が終了して画像データが表示装置４内に記録されている状態で、各検査を区別するユニークな検査ＩＤを名前とするフォルダに対して検査管理ファイル（患者情報、検査開始時間、検査終了時間などを記録する）および、画像取得時間をファイル名とする画像を保存する場合について説明する。
【００３７】
図８において、まず検査ＩＤをキーボードなどの情報入力手段から入力して、サムネイル表示対象の検査を指定する（ステップ３０１）。入力された検査ＩＤを名前とするフォルダから、検査管理ファイルを読み込み検査開始時間Ｔｓ、検査終了時間Ｔｅを取得する（ステップ３０２）。次に、画像ファイル名から画像取得時間Ｔを取得して（ステップ３０３）、判断部ＤＣ３は、画像取得時刻Ｔが検査開始時刻Ｔｓと検査終了時刻Ｔｅの範囲内にあるかどうか判断する（ステップ３０４）。
【００３８】
ここで、Ｔｓ＜Ｔ＜Ｔｅの場合には、条件に適合すると判断して、この判断結果を再生処理部ＤＣ４に出力する。作成処理部ＤＣ４は、この判断結果から画像データのサムネイル画像を作成して（ステップ３０５）、表示部４１に作成したサムネイル画像を出力し、表示部４１による表示を可能にする（ステップ３０６）。このサムネイル画像の表示が終了した場合、またはステップ３０４でＴｓ＜Ｔ＜Ｔｅの条件に該当しない場合には、全て表示したかどうか判断し（ステップ３０７）、検査開始時刻Ｔｓと検査終了時刻Ｔｅの範囲内の全てのサムネイル画像を表示した場合には、上記動作を終了し、また全て表示していない場合には、ステップ３０３に戻って、次のファイルの画像取得時刻を取得することで、検査対象の検査開始時刻Ｔｓと検査終了時刻Ｔｅの範囲内に取得された画像に対するサムネイル表示を可能にする。
【００３９】
このように、この実施の形態では、検査の開始時刻と終了時刻を設定し、各画像データに付加された画像取得時間がこの設定範囲内のときは適切な画像データと判断してサムネイル画像の表示を可能とする画像（縮小）処理を行うので、正確に時刻調整と併せて、検査の時刻情報と画像データに付加された時刻情報との整合性をとって、さらに適切な画像データの選出および表示を行うことができる。
【図面の簡単な説明】
【００４０】
【図１】本発明にかかる受信装置を備えた無線型被検体内情報取得システムの全体構成を示す模式図である。
【図２】図１に示した受信装置の構成を示すブロック図である。
【図３】同じく、図１に示した外部装置と表示装置の要部を示すブロック図である。
【図４】図３に示した表示装置における時刻設定動作の実施の形態１を説明するためフローチャートである。
【図５】本発明にかかる医療装置の実施の形態２の概略構成を示す構成図である。
【図６】図５に示した電波時計の構成を示すブロック図である。
【図７】図５に示した表示装置における時刻設定動作の実施の形態２を説明するためフローチャートである。
【図８】図３に示した表示装置におけるサムネイル画像の作成・表示動作の実施の形態３を説明するためフローチャートである。
【符号の説明】
【００４１】
１  被検体
２  受信装置
２ａ  受信ジャケット
２ｂ  外部装置
３  カプセル型内視鏡
４  表示装置
５  通信ケーブル
６  電波時計
１１  受信回路
１２  信号処理回路
１３  記憶部
１４，４１，６３  表示部
１５  サンプルホールド回路
１６  Ａ／Ｄ変換部
１７  電力供給部
１８，４２，６４  インターフェース部
６１  アンテナ
Ａ１〜Ａｎ  受信用アンテナ
Ｃ，ＤＣ，６２  制御部
Ｃ１  選択制御部
Ｃ２，ＤＣ１  タイマ
Ｃ３，ＤＣ２  時刻設定部
Ｃ４  時刻付加部
ＣＯＮ  接続部
ＣＯＮ１〜ＣＯＮｎ  コネクタ
ＤＣ３  判断部
ＤＣ４  作成処理部
ＳＣ  切替制御部
ＳＷ  切替スイッチ
【図１】
2005304512.tif 000003
【図２】
2005304512.tif 000004
【図３】
2005304512.tif 000005
【図４】
2005304512.tif 000006
【図５】
2005304512.tif 000007
【図６】
2005304512.tif 000008
【図７】
2005304512.tif 000009
【図８】
2005304512.tif 000010